(57)【要約】【課題】機構も操作も簡単で安全性の高い郵便受け用プッシュ式錠前を得る。【解決手段】この発明のプッシュ式錠前１０は郵便受け３０の蓋３１に取り付けられていて、常時はその箱体７からＤ方向に突出しているラッチ１がラッチ受け３２と係合している。錠前の表面には二種類の形状のカンヌキ８又は９が所定の位置にボタン１９とともに取り付けられている。解錠するときは一方の種類のカンヌキ（たとえばカンヌキ８）のみを押し下げることによって、ラッチ１が移動可能になり、プッシュボタン６を押し下げれば、ラッチ１はＤ方向とは反対に動き、ラッチ受け３２から外れる。そうするとラッチ１に沿って設けられ、ばねでＤ方向に付勢されている突き出し２がラッチ受け３２に沿ってＤ方向に突き出すので蓋は自然にＲ方向に回動する。蓋を閉めるときはリセットフック１１を押してカンヌキの位置を元に戻す。【選択図】　　図１
2004068546.tif 000002
【特許請求の範囲】
【請求項１】
郵便受けの蓋を係止するラッチを有し、形状の異なる二種類のカンヌキをそれぞれ複数個備えていて、常時はカンヌキによりラッチの移動が抑えられているような郵便受け用のプッシュ式錠前において、
所定のカンヌキのみを押し下げた時にラッチが後退してラッチ受けから外れ、郵便受けの蓋の開放が可能となり、
さらに、カンヌキとともに設けられているリセットフックにより、押し下げられているカンヌキを元の状態に戻すことができるように構成されていることを特徴とするプッシュ式錠前。
【請求項２】
前記のプッシュ式錠前において、ラッチに沿って、ばねで外方に付勢されている突き出しが設けられ、
ラッチが後退すると、この突き出しが郵便受けのラッチ受けに沿って前方に突き出されることにより、蓋を自動的に外方に開くようになっていることを特徴とする請求項１記載のプッシュ式錠前。
【発明の詳細な説明】
【０００１】
【発明の属する技術分野】
この発明は郵便受けの蓋に取り付けて使用するプッシュ式錠前に関する。
【０００２】
【従来の技術と課題】
郵便受けの蓋が勝手に他人にあけられないように、ダイヤル錠などを取り付けることが従来から行われていたが、構造や操作が複雑である上、郵便受けの口から手を入れて、ラッチを外される惧れがあるなどの問題があった。
【０００３】
【課題を解決するための手段】
この発明は前記の課題を解決するために、郵便受けの蓋を係止するラッチを有し、形状の異なる二種類のカンヌキをそれぞれ複数個備えていて、常時はカンヌキによりラッチの移動が押さえられているような郵便受け用のプッシュ式錠前において、所定のカンヌキのみを押し下げた時にラッチが後退してラッチ受けから外れ、郵便受けの蓋の開放が可能になり、さらに、カンヌキとともに設けられているリセットフックにより、押し下げられているカンヌキを元の状態に戻すことができるように構成されていることを特徴とするプッシュ式錠前を得たものである。
【０００４】
【実施例】
図１はこの発明のプッシュ式錠前１０を郵便受け３０の蓋３１に取り付け、鎖錠状態にした場合の側断面図、図２は同じく錠前１０を開放状態にした場合の側断面図を示す。７は錠前１０の箱体であって、図１の鎖錠状態ではラッチ１が箱体７から外方に突出して郵便受け３０のラッチ受け３２と係合して蓋３１は開かない。
【０００５】
図２では点線で示されるようにラッチ１は箱体７内に後退し、ラッチ受け３２から外れる。すると後述するように突き出し２はばねで外方に向けて付勢されているので、図１に示すようなラッチ受け３２と衝接している状態から突き出し２が外方に突き出してゆくと同時に、その先端２９の斜面がラッチ受け３２に沿ってすべり、図１のＲ方向に蓋を回動させ、図２に示すように蓋３１は自動的に外側に向かって開かれる。
【０００６】
８又は９は錠前に設けたカンヌキであって、開錠用のカンヌキ（符号８で示す）と、誤作動した場合錠前を閉鎖するカンヌキ（符号９で示す）の二種類の形状のカンヌキがあり、それぞれ複数個設けられている。
【０００７】
６は開錠用のプッシュレバー、１１は操作したカンヌキを元の状態に戻すリセットフック、１９はカンヌキ８又は９、リセットフック１１等を操作するため、それらの頭部にかぶせてあるボタンである。（なお各図において、錠前の外側方向、即ちラッチ受け３２の方向を矢印Ｄで表すものとする。）
【０００８】
図３はプッシュ式錠前１０の構成を示す側断面図、図４は主要部品の位置関係を示す平面図であって、１はラッチ（鎖錠時は点線で示すように外方即ち矢印Ｄ方向に突出していて、解錠時は箱体７内に後退している。）、２は突き出し（鎖錠時は図の太線のように箱体内にあるが、解錠時は細線のようにＤ方向に突き出している。）、３はスライダー、４は上方ホルダー、５は下方ホルダー、６はプッシュレバーであって、その脚片６１はスライダー３の凹部３５に入りこんでいる。１７はプッシュレバー１６の枢軸である。７は前記の如く錠前の箱体、１２は箱体７の上面にある上板、１４は上方ホルダー４、下方ホルダー５の間にあって、スライダー３と結合されている下板、８、９は前述の如くカンヌキ、１９はボタンであって、２６はボタンを押し下げて手をはなしたときボタンを復帰させるばねを示している。２２はラッチ用ばね、２３は突き出し用ばね２４は後述するリセットプレート用ばねをそれぞれ示している。なお２１はスライダー３と下板１４との取り付けねじを示している。
【０００９】
さらに図４において、４１はラッチ１とスライダー３との係合部であって、解錠時にプッシュレバー６を押し下げると、その脚片６１がスライダー３の凹部３５にあって、スライダー３を図３、図４で右方（矢印Ｄの方向の反対）に動かし、スライダー３がラッチ１と係合しているのでラッチ１も右方に動き、ラッチ１は箱体７内に後退する。プッシュレバー６の手をはなすと、ばね２２によって、ラッチ１は矢印Ｄの方向に戻され、それにつれてスライダー３も左方に戻される。下板１４はスライダー３に結合されているので、ラッチ１、スライダー３、下板１４は三者同時に移動することとなる。７２は箱体７に設けられた矢印Ｄ方向への動きのストッパーである。
【００１０】
図５はプッシュ式錠前の側面図、図６は上面図であって、固定板１６が箱体７の凹部７１にあって、錠前１０を図１、図２に示すように郵便受けの蓋３１に固定する。１８は上板１２の上にかぶせてある透明なカバーである。
【００１１】
図示の例ではボタン１９は１０個設けられ１から９までの数字のところには、次に作用を詳述するカンヌキ８又は９が取り付けられて解錠又は鎖錠を行い、図６でＣという記号のついているボタンにはリセットフック１１が取り付けられている。
【００１２】
カンヌキは図７に示されるカンヌキ８と、図８に示されるカンヌキ９の二種類の形状のカンヌキが使用される。図７、図８において、８Ｌ及び９Ｌは蓋３１が閉じて鎖錠状態である場合の位置、８Ｐ及び９Ｐはボタン１９を圧下してカンヌキ８又は９を押し下げた状態での位置をそれぞれ示している。
【００１３】
図７に示すように第１の種類のカンヌキ８は１個の突起８１を有している。カンヌキ用ばね２５によって押し上げられている８Ｌの状態では、この突起８１は下板１４の凹みの中にあり、下板１４の動きを押さえている。ボタン１９を押してカンヌキ８を押し下げて８Ｐの状態にすれば先端鉤部８２がリセットプレート１５にひっかかり、突起８１が下板１４から外れた状態が保たれ、下板１４は自由に動けるようになる。
【００１４】
図８に示す第２の種類のカンヌキ９は二つの突起９１、９２を有し、カンヌキ９を押し下げない状態の９Ｌの位置では、下板１４は二つの突起９１、９２の間にある。ところがカンヌキ９を押し下げて９Ｐの状態にすれば、上方の突起９１が下板１４の凹みに入り、下板１４の動きを押さえることとなる。
【００１５】
そこでこの発明のプッシュ式錠前では、図６に示す記号１から９までの９つのボタンの内特定のボタンにカンヌキ８かカンヌキ９を取りつけ、カンヌキ８を取り付けたボタンの記号を暗証番号とする。
【００１６】
郵便受けの蓋３１が閉まって、鎖錠状態にある時は、凡てのカンヌキ８及び９は８Ｌ又は９Ｌの位置にある。解錠したい時は、暗証番号に従ってカンヌキ８のみを押し下げれば、８Ｐの状態になり、突起８１が下板１４から外れる。その際カンヌキ９の方は前述の如く突起９１と９２は下板１４の上下にあって、下板１４の動きを妨げない。前述の如く下板１４とスライダー３及びラッチ１の三者は結合されているので、下板１４の動きが自由になれば、プッシュレバー６を押し下げると、図３、図４に示すようにプッシュレバー６の脚片６１がスライダー３の凹部３５にあってスライダー３を図の右方に動かすことによりラッチ１を右方（矢印Ｄの反対方向）に動かし、ラッチ１を箱体７の内部に引っ込めて蓋３１を解放する。
【００１７】
もし暗証番号に反して誤ってカンヌキ９を押し下げれば図８の９Ｐの状態となり、上方の突起９１が下板１４の動きを抑えることとなり解錠はされない。したがって暗証番号を知らないでいろいろとボタンを押してみても、正しくカンヌキ８のみを押すことは極めて困難である。
【００１８】
（カンヌキ８の数がｎであれば、カンヌキ８の位置は判らないのでカンヌキ８のみを押す場合は９からｎを取り出す組み合わせの数になる。錠が開くのは、その内の１つの場合のみである。それに対し、ボタンを押さねばならぬ回数は、ｎの数を知らないのであるから、極端にいえばｎが１から９まで凡て試みてみなければならない。安全性は可成り高いといえる。）
【００１９】
図９は再び蓋を閉めたときのリセットについての説明図であって、リセットフック１１を押し下げればリセットフック１１の下端の斜面部で下方ホルダー５の下方に設けられているリセットプレート１５を図のＤ方向に押す。図７、図８で８Ｐ又は９Ｐの状態になっているカンヌキ８又は９の先端鉤部８２又は９３と係合しているリセットプレート１５が動き、リセットプレート１５の凹部が鉤部８２又は９３と合致し、カンヌキ用ばね２５によってカンヌキ８又は９は８Ｌまたは９Ｌの状態に戻り、下板１４が動かなくなり、図１の鎖錠状態に戻る。
【００２０】
２８は図３に示すリセットプレート用ばね２４のばね受けであって、リセットフック１１用のボタン１９の手をはなすとボタン用ばね２６によって、ボタン１９とリセットフック１１は上昇し、ばね２４によってリセットプレートは元の位置に復帰する。
【００２１】
なお誤ってカンヌキ９を押し下げている場合は、リセットフック１１を押し下げてカンヌキ９を９Ｌの位置に戻し、カンヌキ８はもう一ぺん８Ｐの位置に戻さないと、下板１４は動けないので、蓋を図１の状態に閉めることはできない。
【００２２】
【発明の効果】
この発明のプッシュ式錠前は前記の如き構成であって、構成も比較的簡単で、所定のボタンを押すという簡単な操作のみでよく、しかも可成り安全性の高い郵便受け用のプッシュ式錠前を得たものである。
【図面の簡単な説明】
【図１】郵便受けの閉鎖状態を示す図
【図２】同じく解放状態を示す図
【図３】プッシュ式錠前の側断面図
【図４】同じく平面図
【図５】プッシュ式錠前の側面図
【図６】同じく上面図
【図７】第１のカンヌキの作用の説明図
【図８】第２のカンヌキの作用の説明図
【図９】リセットフックの作用の説明図
【符号の説明】
１　　ラッチ
２　　突き出し
３　　スライダー
４　　上方ホルダー
５　　下方ホルダー
６　　プッシュレバー
７　　箱体
８　　第１のカンヌキ
９　　第２のカンヌキ
１０　　プッシュ式錠前
１１　　リセットフック
１２　　上板
１４　　下板
１５　　リセットプレート
１６　　固定板
１７　　プッシュレバーの枢軸
１８　　カバー
１９　　ボタン
２１　　ねじ
２２　　ラッチ用ばね
２３　　突き出し用ばね
２４　　リセットプレート用ばね
２５　　カンヌキ用ばね
２６　　ボタン用ばね
２８　　リセットプレート用ばね受け
３０　　郵便受け
３１　　蓋
３２　　ラッチ受け
３５　　スライダーの凹部
４１　　ラッチとスライダーの結合部
６１　　プッシュボタンの脚片
７１　　箱体の凹み
７２　　ストッパー
８１　　カンヌキ８の突起
８２　　カンヌキ８の先端鉤部
９１　　カンヌキ９の上方突起
９２　　カンヌキ９の下方突起
９３　　カンヌキ９の先端鉤部
【図１】
2004068546.tif 000003
【図２】
2004068546.tif 000004
【図３】
2004068546.tif 000005
【図４】
2004068546.tif 000006
【図５】
2004068546.tif 000007
【図６】
2004068546.tif 000008
【図７】
2004068546.tif 000009
【図８】
2004068546.tif 000010
【図９】
2004068546.tif 000011